(57)【特許請求の範囲】
【請求項１】
画像データの画素を削減する画素削減手段と、
前記画像データを複数のデータ列に変換し、前記複数のデータ列のそれぞれを拡散符号を用いて変調し、変調した前記複数のデータ列を多重化し、多重化した前記複数のデータ列を表示装置に送信する送信手段と、
前記表示装置の能力に関する情報を含む表示能力情報に従って前記画素削減手段の画素削減処理及び前記送信手段の変換処理を制御する制御手段
とを有することを特徴とする画像送信装置。
【請求項２】
前記制御手段は、前記表示能力情報に従って高品質モード又は低品質モードを選択する手段であり、
前記画素削減手段は、前記高品質モードが選択された場合には前記画像データから削減される画素数を減らし、前記低品質モードが選択された場合には前記画像データから削減される画素数を増やす手段であり、
前記送信手段は、前記高品質モードが選択された場合には前記画像データから得られるデータ列の数を増やし、前記低品質モードが選択された場合には前記画像データから得られるデータ列の数を減らす手段であることを特徴とする請求項１に記載の画像送信装置。
【請求項３】
前記表示能力情報は、画面のサイズ、表示素子のタイプ、水平解像度、垂直解像度及び画素数の少なくとも一つを示す情報を含むものであることを特徴とする請求項１又は２に記載の画像送信装置。
【請求項４】
被写体の光学像から画像データを生成する画像生成手段をさらに有し、
前記画素削減手段は、前記画像生成手段で生成された画像データの画素を削減する手段であることを特徴とする請求項１から３のいずれか１項に記載の画像送信装置。
【請求項５】
画像データの画素を削減する画素削減ステップと、
前記画像データを複数のデータ列に変換する変換し、前記複数のデータ列のそれぞれを拡散符号を用いて変調し、変調した前記複数のデータ列を多重化し、多重化した前記複数のデータ列を表示装置に送信する送信ステップと、
前記表示装置の能力に関する情報を含む表示能力情報に従って前記画素削減ステップの画素削減処理及び前記送信ステップの変換処理を制御する制御ステップとを有することを特徴とする画像送信方法。
【請求項６】
前記制御ステップは、前記表示能力情報に従って高品質モード又は低品質モードを選択するステップであり、
前記画素削減ステップは、前記高品質モードが選択された場合には前記画像データから削減される画素数を減らすステップと、前記低品質モードが選択された場合には前記画像データから削減される画素数を増やすステップであり、
前記送信ステップは、前記高品質モードが選択された場合には前記画像データから得られるデータ列の数を増やすステップと、前記低品質モードが選択された場合には前記画像データから得られるデータ列の数を減らすステップであることを特徴とする請求項５に記載の画像送信方法。
【請求項７】
前記表示能力情報は、画面のサイズ、表示素子のタイプ、水平解像度、垂直解像度及び画素数の少なくとも一つを示す情報を含むものであることを特徴とする請求項５又は６に記載の画像送信方法。
【請求項８】
被写体の光学像から画像データを生成する画像生成ステップをさらに有し、
前記画素削減ステップは、前記画像生成ステップで生成された画像データの画素を削減するステップであることを特徴とする請求項５乃至７の何れか１項に記載の画像送信方法。
【発明の詳細な説明】
【０００１】
【発明の属する技術分野】
本発明は、画像データを送信する画像送信装置及び画像送信方法に関する。
【０００２】
【従来の技術】
スペクトラム拡散方式で画像情報を伝送する場合、従来は、一定の画質及び一定の伝送速度で行なわれていた。また、画像データの伝送では特に、画質を優先して、スペクトラム拡散の伝送速度を高く設定するのが普通であった。
【０００３】
【発明が解決しようとする課趣】
しかし、受信側の画像表示手段が、例えば小型の液晶表示パネルのように低解像度である場合、その解像度に合致する程度の画質で画像データを伝送すればよく、一概に伝送速度を高く設定しておく必要は無い。また、スペクトラム拡散通信では、伝送速度が高いと伝送距離が短くなってしまう。従って、従来例では、画像受信側で必要とする以上の画質で画像を伝送し、そのために伝送距離を無駄に短くしているところがある。
【０００４】
本発明は、表示装置に適した画質及び伝送速度で画像データを送信することができる画像送信装置及び画像送信方法を提示することを目的とする。
【０００７】
【課題を解決するための手段】
本発明の画像送信装置は、画像データの画素を削減する画素削減手段と、前記画像データを複数のデータ列に変換し、前記複数のデータ列のそれぞれを拡散符号を用いて変調し、変調した前記複数のデータ列を多重化し、多重化した前記複数のデータ列を表示装置に送信する送信手段と、表示装置の能力に関する情報に従って前記画素削減手段の画素削減処理及び前記送信手段の変換処理を制御する制御手段とを有することを特徴とする。
また、本発明の画像送信方法は、画像データの画素を削減する画素削減ステップと、前記画像データを複数のデータ列に変換する変換し、前記複数のデータ列のそれぞれを拡散符号を用いて変調し、変調した前記複数のデータ列を多重化し、多重化した前記複数のデータ列を表示装置に送信する送信ステップと、前記表示装置の能力に関する情報に従って前記画素削減ステップの画素削減処理及び前記送信ステップの変換処理を制御する制御ステップとを有することを特徴とする。
【０００９】
【発明の実施の形態】
以下、図面を参照して、本発明の実施の形態を詳細に説明する。
【００１０】
図１は、本実施例の画像送信側の概略構成ブロック図を示す。１０は被写体の光学像を撮像素子１２の光電変換面に結像するレンズ、１４は、撮像素子１２から出力されるアナログ画像信号をサンプルホールドし、適正な信号レベルにするＣＤＳ／ＡＧＣ回路、１６は、ＣＤＳ／ＡＧＣ回路１４のアナログ出力をＡ／Ｄ変換し、ガンマ補正及び色バランス調整などの撮像信号処理をディジタル的に実行するディジタル信号処理回路、１８は、メモリ１９を作業領域として、ディジタル信号処理回路１６から出力されるディジタル画像データを、外部から制御される画素数に間引く画素数制御回路、２０は、画像受信側との通信プロトコルを制御し、画素数制御回路１８により画素数を調節されたディジタル画像データをスペクトラム拡散送信に適したデータ形式に変換する通信プロトコル制御回路、２２は通信プロトコル制御回路２０からのデータをスペクトラム拡散変調し、アンテナ２４に供給するスペクトラム拡散送信回路である。
【００１１】
２６は画像送信側からのスペクトラム拡散変調された制御コマンドなどを受信し、復調するスペクトラム拡散受信回路、２８は、スペクトラム拡散受信回路２６により復調されたデータから制御コマンド（本実施例では、画像受信側が要求する画質に関する情報）を復調するコマンド復調回路、３０は、コマンド復調回路２８から出力される制御コマンドに従い、画素数制御回路１８及び通信プロトコル制御回路２０を制御すると共に、スペクトラム拡散送信回路２２のデータ送信速度を制御する画素数／伝送速度制御回路（マイクロコンピュータ）である。
【００１２】
図２は、スペクトラム拡散送信回路２２の概略構成ブロック図を示す。６０は通信プロトコル／圧縮制御回路２０からの送信すべき直列データをｎ個の並列データに変換する直並列変換器、６２は、画素数／伝送速度制御回路３０からの伝送速度データに従い直並列変換器６０の並列数を制御する並列数制御回路、６４は直並列変換器６０から出力される各並列データに対してそれぞれ異なる拡散符号を発生する拡散符号発生器、６６−１〜６６−ｎは、直並列変換器６０から出力される各並列データに、拡散符号化発生器６４が発生する各拡散符号ＰＮ１〜ＰＮｎを乗算する乗算器、６８は、伝送速度データに従い乗算器６６−２〜６６−ｎの各出力をオン／オフするスイッチ、７０はスイッチ６８を制御する選択信号を生成する選択信号生成回路、７２は拡散符号発生器６４からの１つの拡散符号ＰＮ０、乗算器６６−１の出力、及びスイッチ６８により選択される乗算器６６−２〜６６−ｎの出力を加算する加算器、７４は加算器７２の出力を送信周波数信号に変換するＲＦ回路、７６は伝送速度データ（具体的には、並列数）に応じてＲＦ回路７４の利得を制御する利得制御回路である。
【００１３】
このような構成により、並列数制御回路６２及び選択信号生成回路７０が、伝送速度データに従い並列数を変更する。この結果、送信すべきデータのデータ伝送速度が変更される。
【００１４】
図３は、本実施例における受信側装置の概略構成ブロック図を示す。図３において、１１０は送受信アンテナ、１１２は、送受信アンテナ１１０で受信されたスペクトラム拡散符号を復調し、画像データと伝送速度データを出力するスペクトラム拡散受信回路、１１４は、画像送信側との通信プロトコルを制御し、スペクトル拡散受信回路１１２からの画像データを所定形式で出力する通信プロトコル制御回路、１１６はスペクトラム拡散受信回路１１２からの伝送速度データに従い通信プロトコル制御回路１１４を制御する伝送速度制御回路（マイクロコンピュータ）である。
【００１５】
１１８は通信プロトコル制御回路１１４からの画像データをアナログ信号に変換するディジタル信号処理回路、１２０はディジタル信号処理回路１１８の出力信号をＮＴＳＣ映像信号に変換するＮＴＳＣエンコーダ、１２２はＮＴＳＣエンコーダ１２０の出力信号を映像表示するモニタである。
【００１６】
１２４はモニタ１２２の種類、大きさ及び解像度等のモニタ１２２に関する情報が格納されているモニタ情報ＲＯＭ、１２６はモニタ情報ＲＯＭ１２４から記憶情報を読み出して、所定形式のコマンド・データに変換するコマンド生成／変調回路、１２８はコマンド生成／変調回路１２６により生成されたコマンド・データをスペクトラム拡散変調し、アンテナ１１０を介して画像送信側に送信するスペクトラム拡散送信回路である。
【００１７】
図４は、スペクトラム拡散受信回路１１２の概略構成ブロック図を示す。１４０は送受信アンテナ１１０で受信された信号を所定の内部周波数に変換するＲＦ回路、１４２は、受信した拡散符号に対する同期を補足し、維持する同期回路、１４４は、同期回路１４２から出力される符号同期信号及びクロック信号に従い、受信した拡散符号と同一の拡散符号を発生する拡散符号発生器、１４６は、拡散符号発生器１４４３から出力されるキャリア再生用拡散符号ＰＮ０及びＲＦ回路１４０の出力信号から搬送波信号を再生するキャリア再生回路、１４８は、キャリア再生回路１４６からの搬送波信号及び拡散符号発生回路１４４からのｎ個の拡散符号を使って、ＲＦ回路１４０の出力をベースバンド復調するベースバンド復調回路、１５０はベースバンド復調回路１４８から出力される複数の復調データを直列化する並直列変換器、１５２はベースバンド復調回路１４８における内部信号からスペクトラム拡散送信回路２２における並列数を検出する並列数検出回路、１５４は並列数検出回路１５２により検出された並列数に従い並直列変換回路１５０で直列化する並列数を制御すると共に、伝送速度データを出力する並列数制御回路である。
【００１８】
図４に示す構成により、スペクトラム拡散変調された信号が、復調される。このような構成及び動作自体は、周知である。
【００１９】
図５は、画像受信側のモニタ情報に応じた画像送信側の動作フローチャートを示す。モニタ情報ＲＯＭ１２４に記憶されるモニタ１２２に関する情報は、例えば、画面サイズ、表示素子のタイプ（ＣＲＴ又は液晶表示パネルなど）、水平解像度、垂直解像度、及び画素数などの情報からなる。
【００２０】
画像送信側は、画像受信側からのモニタ情報を取得し（Ｓ１）、その内容に応じて、高画質伝送すべきか否かを判定する（Ｓ２）。例えば、画像受信側のモニタ１２２が２９インチのブラウン管モニタで、水平解像度７００本である場合などには、高画質伝送が選択される（Ｓ２）。画素数／伝送速度制御回路３０は、画素数制御回路１８に対し画素数の間引きを少なくするように指示し（Ｓ３）、スペクトラム拡散送信回路２２に対し、伝送データの並列数を多くして伝送速度を高速にするように指示する（Ｓ４）。このようにして間引かされた画像データが、選択された伝送速度（並列数）で画像受信側に送信される（Ｓ７）。
【００２１】
また、画像受信側のモニタ１２２が、４インチの液晶モニタで、画素数が約７万である場合、画素数／伝送速度制御回路３０は、低画質の画像伝送を選択する（Ｓ２）。画素数／伝送速度制御回路３０は、画素数制御回路１８に対し画素数の間引きを多くするように指示し（Ｓ５）、スペクトラム拡散送信回路２２に対し、伝送データの並列数を少なくして伝送速度を低速にするように指示する（Ｓ６）。
【００２２】
このようにして、画像受信側のモニタの表示能力に応じた画素数及び伝送速度で画像情報が伝送され、使用者は、受信側の表示能力を気にしなくても、最適なスペクトラム拡散画像送信を行なえる。
【００２３】
【発明の効果】
以上の説明から容易に理解できるように、本発明によれば、表示装置に適した画質及び伝送速度で画像データを送信することができる。
【図面の簡単な説明】
【図１】本発明の一実施例の送信側の概略構成ブロック図である。
【図２】スペクトラム拡散送信回路２２の概略構成ブロック図である。
【図３】本実施例の受信側の概略構成ブロック図である。
【図４】スペクトラム拡散受信回路１１２の概略構成ブロック図である。
【図５】本実施例のフローチャートである。
【符号の説明】
１０：レンズ
１２：撮像素子
１４：ＣＤＳ／ＡＧＣ回路
１６：ディジタル信号処理回路
１８：画素数制御回路
１９：メモリ
２０：通信プロトコル／圧縮制御回路
２２：スペクトラム拡散送信回路
２４：アンテナ
２６：スペクトラム拡散受信回路
２８：コマンド復調回路
３０：画素数／伝送速度制御回路
６０：直並列変換器
６２：並列数制御回路
６４：拡散符号発生器
６６−１〜６６−ｎ：乗算器
６８：スイッチ
７０：選択信号生成回路
７２：加算器
７４：ＲＦ回路
７６：利得制御回路
１１０：送受信アンテナ
１１２：スペクトラム拡散受信回路
１１４：通信プロトコル制御回路
１１６：伝送速度制御回路
１１８：ディジタル信号処理回路
１２０：ＮＴＳＣエンコーダ
１２２：モニタ
１２４：モニタ情報ＲＯＭ
１２６：コマンド生成／変調回路
１２８：スペクトラム拡散送信回路
１４０：ＲＦ回路
１４２：同期回路
１４４：拡散符号発生器
１４６：キャリア再生回路
１４８：ベースバンド復調回路
１５０：並直列変換器
１５２：並列数検出回路
１５４：並列数制御回路
【図１】
0003618920.tif 000002
【図２】
0003618920.tif 000003
【図３】
0003618920.tif 000004
【図４】
0003618920.tif 000005
【図５】
0003618920.tif 000006